【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
ａ）広告の質に対するエンドユーザーの知覚に影響を与える情報を受け入れることと、
ｂ）ドキュメントとともに提供される広告と関連するブランディング要素を、前記受け入れられた情報を用いて制御すること、とを具備する方法。
【請求項２】
広告の質に対するエンドユーザーの知覚に影響を与える前記情報は、予め決められたドキュメント点数を含む請求項１に記載の方法。
【請求項３】
広告の質に対するエンドユーザーの知覚に影響を与える前記情報は、ドキュメントに依存する情報である請求項１に記載の方法。
【請求項４】
広告の質に対するエンドユーザーの知覚に影響を与える前記情報は、前記ドキュメントと関連する選択率を含む請求項１に記載の方法。
【請求項５】
広告の質に対するエンドユーザーの知覚に影響を与える前記情報は、前記ドキュメントと関連するコンバージョンレートを含む請求項１に記載の方法。
【請求項６】
ブランディング要素を制御する前記行為は、（Ａ）広告フォーマットへのブランドカラーの適用を制御すること、及び（Ｂ）前記広告フォーマットへのブランド図形要素の適用を制御することのうちの少なくとも１つを含む請求項１に記載の方法。
【請求項７】
広告の質に対するエンドユーザーの知覚に影響を与える前記情報は、前記ドキュメントとともに提供される一組の広告のうちの少なくとも１つの広告のパフォーマンス情報を含む請求項１に記載の方法。
【請求項８】
広告の質に対するエンドユーザーの知覚に影響を与える前記情報は、前記広告のうちの少なくとも１つと前記ドキュメントとの間の類似度を含む請求項１に記載の方法。
【請求項９】
広告の質に対するエンドユーザーの知覚に影響を与える前記情報は、前記ドキュメントのコンテンツに関する広告の関連性点数を含む請求項１に記載の方法。
【請求項１０】
広告の質に対するエンドユーザーの知覚に影響を与える前記情報は、前記関連性点数の信頼度をさらに含む請求項９に記載の方法。
【請求項１１】
広告の質に対するエンドユーザーの知覚に影響を与える前記情報は、関連広告を決定する際に用いられるキーワードターゲット特定の型を含む請求項１に記載の方法。
【請求項１２】
広告の質に対するエンドユーザーの知覚に影響を与える前記情報は、ユーザーの行動を含む請求項１に記載の方法。
【請求項１３】
広告の質に対するエンドユーザーの知覚に影響を与える前記情報が、１つ以上の広告は質が不良であると知覚されることになることを示している場合は、ブランディングを制御する前記行為は、ブランドカラーなしの広告フォーマットを選択する請求項１に記載の方法。
【請求項１４】
広告の質に対するエンドユーザーの知覚に影響を与える前記情報が、１つ以上の広告は質が不良であると知覚されることになることを示している場合は、ブランディングを制御する前記行為は、ブランド図形要素なしの広告フォーマットを選択する請求項１に記載の方法。
【請求項１５】
広告の質に対するエンドユーザーの知覚に影響を与える前記情報が、１つ以上の広告は質が良いと知覚されることになることを示している場合は、ブランディングを制御する前記行為は、ブランドカラーを含む広告フォーマットを選択する請求項１に記載の方法。
【請求項１６】
広告の質に対するエンドユーザーの知覚に影響を与える前記情報が、１つ以上の広告は質が良いと知覚されることになることを示している場合は、ブランディングを制御する前記行為は、ブランド図形要素を含む広告フォーマットを選択する請求項１に記載の方法。
【請求項１７】
ａ）広告の質に対するエンドユーザーの知覚に影響を与える情報を受け入れるための入力部と、
ｂ）ドキュメントとともに提供される広告と関連するブランディング要素を、前記受け入れられた情報を用いて制御する手段と、を具備する装置。
【請求項１８】
広告の質に対するエンドユーザーの知覚に影響を与える前記情報は、予め決められたドキュメント点数を含む請求項１７に記載の装置。
【請求項１９】
広告の質に対するエンドユーザーの知覚に影響を与える前記情報は、ドキュメントに依存する情報である請求項１７に記載の装置。
【請求項２０】
広告の質に対するエンドユーザーの知覚に影響を与える前記情報は、前記ドキュメントと関連する選択率を含む請求項１７に記載の装置。
【請求項２１】
広告の質に対するエンドユーザーの知覚に影響を与える前記情報は、前記ドキュメントと関連するコンバージョンレートを含む請求項１７に記載の装置。
【請求項２２】
ブランディング要素を制御する前記手段は、（Ａ）広告フォーマットへのブランドカラーの適用を制御する手段、及び（Ｂ）前記広告フォーマットへのブランド図形要素の適用を制御する手段のうちの少なくとも１つを含む請求項１７に記載の装置。
【請求項２３】
広告の質に対するエンドユーザーの知覚に影響を与える前記情報は、前記ドキュメントとともに提供される一組の広告のうちの少なくとも１つの広告のパフォーマンス情報を含む請求項１７に記載の装置。
【請求項２４】
広告の質に対するエンドユーザーの知覚に影響を与える前記情報は、前記広告のうちの少なくとも１つと前記ドキュメントとの間の類似度を含む請求項１７に記載の装置。
【請求項２５】
広告の質に対するエンドユーザーの知覚に影響を与える前記情報は、前記ドキュメントのコンテンツに関する広告の関連性点数を含む請求項１７に記載の装置。
【請求項２６】
広告の質に対するエンドユーザーの知覚に影響を与える前記情報は、前記関連性点数の信頼度をさらに含む請求項２５に記載の装置。
【請求項２７】
広告の質に対するエンドユーザーの知覚に影響を与える前記情報は、関連広告を決定する際に用いられるキーワードターゲット特定の型を含む請求項１７に記載の装置。
【請求項２８】
広告の質に対するエンドユーザーの知覚に影響を与える前記情報は、ユーザーの行動を含む請求項１７に記載の装置。
【請求項２９】
広告の質に対するエンドユーザーの知覚に影響を与える前記情報が、１つ以上の広告は質が不良であると知覚されることになることを示している場合は、ブランディングを制御する前記手段は、ブランドカラーなしの広告フォーマットを選択する請求項１７に記載の装置。
【請求項３０】
広告の質に対するエンドユーザーの知覚に影響を与える前記情報が、１つ以上の広告は質が不良であると知覚されることになることを示している場合は、ブランディング広告数を制御する前記手段は、ブランド図形要素なしの広告フォーマットを選択する請求項１７に記載の装置。
【請求項３１】
広告の質に対するエンドユーザーの知覚に影響を与える前記情報が、１つ以上の広告は質が良いと知覚されることになることを示している場合は、ブランディングを制御する前記手段は、ブランドカラーを含む広告フォーマットを選択する請求項１７に記載の装置。
【請求項３２】
広告の質に対するエンドユーザーの知覚に影響を与える前記情報が、１つ以上の広告は質が良いと知覚されることになることを示している場合は、ブランディングを制御する前記手段は、ブランド図形要素を含む広告フォーマットを選択する請求項１７に記載の装置。
【請求項３３】
ａ）広告の質に対するエンドユーザーの知覚に影響を与える情報を受け入れることと、
ｂ）前記広告がドキュメントとともに提供されるときの目立ち度を前記受け入れられた情報を用いて制御すること、とを具備する方法。
【請求項３４】
広告の質に対するエンドユーザーの知覚に影響を与える前記情報は、予め決められたドキュメント点数を含む請求項３３に記載の方法。
【請求項３５】
広告の質に対するエンドユーザーの知覚に影響を与える前記情報は、ドキュメントに依存する情報である請求項３３に記載の方法。
【請求項３６】
広告の質に対するエンドユーザーの知覚に影響を与える前記情報は、前記ドキュメントと関連する選択率を含む請求項３３に記載の方法。
【請求項３７】
広告の質に対するエンドユーザーの知覚に影響を与える前記情報は、前記ドキュメントと関連するコンバージョンレートを含む請求項３３に記載の方法。
【請求項３８】
前記広告が提供されるときの目立ち度を制御する前記行為は、複数の広告スポットのうちのいずれの広告スポットにおいて前記広告が提供されるかを制御することを含む請求項３３に記載の方法。
【請求項３９】
広告の質に対するエンドユーザーの知覚に影響を与える前記情報は、前記ドキュメントとともに提供される一組の広告のうちの少なくとも１つの広告のパフォーマンス情報を含む請求項３３に記載の方法。
【請求項４０】
広告の質に対するエンドユーザーの知覚に影響を与える前記情報は、前記広告のうちの１つと前記ドキュメントとの間における類似度を含む請求項３３に記載の方法。
【請求項４１】
広告の質に対するエンドユーザーの知覚に影響を与える前記情報は、前記ドキュメントのコンテンツに関する広告の関連性点数を含む請求項３３に記載の方法。
【請求項４２】
広告の質に対するエンドユーザーの知覚に影響を与える前記情報は、前記関連性点数の信頼度をさらに含む請求項３３に記載の方法。
【請求項４３】
広告の質に対するエンドユーザーの知覚に影響を与える前記情報は、関連広告を決定する際に用いられるキーワードターゲット特定の型を含む請求項３３に記載の方法。
【請求項４４】
ａ）広告の質に対するエンドユーザーの知覚に影響を与える情報を受け入れるための入力部と、
ｂ）前記広告がドキュメントとともに提供されるときの目立ち度を前記受け入れられた情報を用いて制御する手段と、を具備する装置。
【請求項４５】
広告の質に対するエンドユーザーの知覚に影響を与える前記情報は、予め決められたドキュメント点数を含む請求項４４に記載の装置。
【請求項４６】
広告の質に対するエンドユーザーの知覚に影響を与える前記情報は、ドキュメントに依存する情報である請求項４４に記載の装置。
【請求項４７】
広告の質に対するエンドユーザーの知覚に影響を与える前記情報は、前記ドキュメントと関連する選択率を含む請求項４４に記載の装置。
【請求項４８】
広告の質に対するエンドユーザーの知覚に影響を与える前記情報は、前記ドキュメントと関連するコンバージョンレートを含む請求項４４に記載の装置。
【請求項４９】
前記広告が提供されるときの目立ち度を制御する前記手段は、複数の広告スポットのうちのいずれの広告スポットにおいて前記広告が提供されるかを制御する手段を含む請求項４４に記載の装置。
【請求項５０】
広告の質に対するエンドユーザーの知覚に影響を与える前記情報は、前記ドキュメントとともに提供される一組の広告のうちの少なくとも１つの広告のパフォーマンス情報を含む請求項４４に記載の装置。
【請求項５１】
広告の質に対するエンドユーザーの知覚に影響を与える前記情報は、前記広告のうちの１つと前記ドキュメントとの間における類似度を含む請求項４４に記載の装置。
【請求項５２】
広告の質に対するエンドユーザーの知覚に影響を与える前記情報は、前記ドキュメントのコンテンツに関する広告の関連性点数を含む請求項４４に記載の装置。
【請求項５３】
広告の質に対するエンドユーザーの知覚に影響を与える前記情報は、前記関連性点数の信頼度をさらに含む請求項４４に記載の装置。
【請求項５４】
広告の質に対するエンドユーザーの知覚に影響を与える前記情報は、関連広告を決定する際に用いられるキーワードターゲット特定の型を含む請求項４４に記載の装置。